(57)【要約】【課題】箱状の外枠を有しながら遊技機設置島との配線が容易な遊技機を提供する。【解決手段】天板２ａ、底板２ｂ、左右の側板２ｃ、背板２ｄで囲った箱状の外枠２を有し、その外枠２の前面に前面カバー３を設けてなる遊技機１において、多数の遊技機１を設置する遊技機設置島１８の上部幕板１９より奥に位置する領域であって前記天板２ａの後部又は背板２ｄの上部又は天板２ａと背板２ｄの境界部の何れかの部位に配線挿通口２２を形成し、その配線挿通口２２に開閉自在な蓋板２４を取り付け、さらにその蓋板２４の内側面に配線接続用の端子板２５を設けた。【選択図】        図２
2004209022.tif 000002
【特許請求の範囲】
【請求項１】
天板、底板、左右の側板、背板で囲った箱状の外枠を有し、その外枠の前面に前面カバーを設けてなる遊技機において、
多数の遊技機を設置する遊技機設置島の上部幕板より奥に位置する領域であって前記天板の後部又は背板の上部又は天板と背板の境界部の何れかの部位に配線挿通口を形成し、その配線挿通口に開閉自在な蓋板を取り付け、さらにその蓋板の内側面に配線接続用の端子板を設けたことを特徴とする遊技機。
【発明の詳細な説明】
【０００１】
【発明の属する技術分野】
本発明は、メダルや球などの遊技媒体を使って遊技する遊技機に関する。
【０００２】
【従来の技術】
遊技機には、メダルや球を遊技媒体とするスロットマシンや、球（パチンコ球）を遊技媒体とするパチンコ機がある。これらの遊技機は、外枠の前面に開閉可能な状態に前面カバーを取り付けた構造になっている。前記外枠は、一般的なパチンコ機では四角い枠状になっている場合が多いものの、一部のパチンコ機（例えば、パチンコ球を機内で循環させる封入式のもの）やスロットマシンでは、天板と底板と左右の側板及び背板で囲われた箱状（筐体）になっている。
【０００３】
ところで遊技機は、遊技場に設置した遊技機設置島に横並びの状態に組み込まれ、その遊技機設置島に対して電源ケーブルや外部出力ハーネスなどの配線で電気的に接続されている。そのため箱状の外枠を有する従来の遊技機は、背板の中央より下側に配線挿通口（図４符号Ｈ参照）を穿設し、そこから外部に配線を引き出して遊技機設置島の配線接続部に接続するようにしていた。
【０００４】
【発明が解決しようとする課題】
一般に箱状の外枠の内部は、個別に回転可能な３個のリールを主要構成要素とする図柄変動装置や電源装置などの装置類で占められており、従って、外枠の正面から前記配線挿通口Ｈに手を通して配線を接続する、という作業は行えない。また、遊技機設置島の遊技機の裏側には人が入るだけのスペースがないため、設置完了後に遊技機の裏に回って配線挿通口Ｈから配線を引き出す、という作業も行えない。よって遊技機の設置作業は、遊技機の裏側から事前に配線を引き出し、その配線の接続を先に済ませてから遊技機設置島に組み込む、という手順で行われていたが、そのような作業には次のような解決すべき課題が存在していた。（ａ）遊技機を遊技機設置島に組み込むに際し、遊技機と遊技機設置島の間に配線が噛まないよう注意する必要があるため作業効率が悪い。特に、遊技機設置島の前に置いた設置前の遊技機と遊技機設置島の配線接続部とを接続するためには長い配線が必要になるため、配線の絡みによる作業性の悪化も加わる。しかも如何に注意を払っても遊技機と遊技機設置島の間に配線が噛み込むトラブルは不可抗力的に発生するから、配線が損傷し断線する危険性もある。
（ｂ）遊技機を遊技機設置島に設置した後に配線変更等の必要が生じた場合、遊技機設置島から遊技機を一々引き出さなければならない煩わしさがある。
（ｃ）遊技機を１台設置する度に配線作業をする必要があり、作業の流れが悪く能率が上がらない。
【０００５】
本発明は上記に鑑みなされたもので、その目的は、箱状の外枠を有しながら遊技機設置島との配線が容易な遊技機を提供することにある。
【０００６】
【課題を解決するための手段】
上記の目的を達成するため本発明は、天板、底板、左右の側板、背板で囲った箱状の外枠を有し、その外枠の前面に前面カバーを設けてなる遊技機において、多数の遊技機を設置する遊技機設置島の上部幕板より奥に位置する領域であって前記天板の後部又は背板の上部又は天板と背板の境界部の何れかの部位に配線挿通口を形成し、その配線挿通口に開閉自在な蓋板を取り付け、さらにその蓋板の内側面に配線接続用の端子板を設けた遊技機を提供する。
【０００７】
遊技機設置島の上部幕板は、遊技機設置島の内部を隠すために遊技機の天板の直上に設けられている。一方、本発明の遊技機は、上部幕板より奥に位置する領域であって前記天板の後部又は背板の上部又は天板と背板の境界部の何れかの部位に配線挿通口を設けてそこに外部端子板としての機能を付加した蓋板を設けたから、遊技機を遊技機設置島に設置した後、上部幕板越しに蓋板内面の端子板を使って新規の接続や継ぎ替えが行える。
【０００８】
【発明の実施の形態】
以下に本発明の実施の形態を遊技機たるスロットマシンを例示して説明する。なお、図１はスロットマシンの斜視図、図２は一部拡大図を含むスロットマシンの側面図、図３は一部を断面にして示す要部の斜視図、図４は配線挿通口の他の配置例を示すスロットマシン背面の斜視図である。
【０００９】
スロットマシン１は、前面が開口する箱状の外枠２と、その外枠２の前面に片開きのドア状に回動可能に取り付けた前面カバー３を有する。前記外枠２は木製であって、天板２ａと底板２ｂと左右の側板２ｃ，２ｃ及び背板２ｄで囲われた箱状（筐体）であり、その外枠２の内部に図１に示したように、個別に回転可能な３個のリール４ａ，４ｂ，４ｃを主要構成要素とする図柄変動装置４や、電源装置５などの装置類が収められている。
【００１０】
一方、前面カバー３は合成樹脂製であって、表側の下方にメダル貯留用の受皿６を有し、また、表側のほぼ中央に操作部を有する。この操作部には、メダル投入用の投入口７と、制御装置（図示せず）のメモリーにデータとして蓄えられているメダルから１枚のみの投入を指示する１枚投入ボタン９と、同じく２枚のみの投入を指示する２枚投入ボタン１０と、同じく１回のゲームで使用可能な最高枚数（例えば３枚）の投入を指示するＭＡＸ投入ボタン１１と、投入口７の裏側にあるメダルセレクタ（図示せず）に詰まったメダルを受皿６に戻すためのメダル返却ボタン１３と、前記制御装置のメモリーにデータとして蓄えられているメダルの貯留解除命令（精算による放出命令）を入力するための貯留解除スイッチ１４と、図柄変動装置４を作動させる始動レバー１５と、図柄変動装置４の各リール４ａ，４ｂ，４ｃを停止させる３個のリール停止ボタン１６ａ，１６ｂ，１６ｃと、遊技方法や装飾的な模様を記載した固定表示部１７などを有する。
【００１１】
上記構成よりなるスロットマシン１は、複数台を横並びにして図２に示したように遊技機設置島１８に組み込まれる。遊技機設置島１８には外枠２の天板２ａの上に位置するようにして上部幕板１９が設けられている。また、遊技機設置島１８の内部にはスロットマシン１の電源ケーブルや外部出力ハーネスなどの配線２０を接続するための配線接続部２１が設けられている。
【００１２】
しかして本発明のスロットマシン１は、遊技機設置島１８の上部幕板１９より奥に位置する領域であって前記天板２ａの後部又は背板２ｄの上部又は天板２ａと背板２ｄの境界部の何れかの部位に配線挿通口２２を形成し、その配線挿通口２２に開閉自在な蓋板２４を取り付け、さらにその蓋板２４の内側面に配線接続用の端子板２５を設けたことを要旨とする。
【００１３】
図１〜図３に示したスロットマシン１は、背板２ｄの上端部に配線挿通口２２を設けたものである。もっとも配線挿通口２２の配置は、背板２ｄの上端部の他、図４に想像線で示したように天板２ａの後部や天板２ａと背板２ｄの境界部（後上角）にしてもよい。なお、本発明において天板２ａの後部とは上部幕板１９より奥の全ての部分を指し、また、背板２ｄの上部とは、大人の作業者が上部幕板１９越しに手が届く作業可能な範囲を指すものとし、これら範囲内であれば配線挿通口２２の配置や数は自由である。もちろん背板２ｄの上端部は問題なくその範囲に含まれる。
【００１４】
前記蓋板２４は、配線挿通口２２に合致する四角い合成樹脂又は金属又は木製板であり、下端両側に突出する回動軸２４ａを配線挿通口２２の下端に支持させ、図２実線の起立姿勢で配線挿通口２２を閉じ、同図二点鎖線の傾倒姿勢で配線挿通口２２を開く。この蓋板２４には図３に示したように専用の鍵で開閉する錠装置２６が設けられており、その錠装置２６のロック片２６ａが配線挿通口２２の縁に係合して蓋板２４を閉位置にロックする。また、蓋板２４には内側面の側方に半円弧状の回動規制片２７が固着されており、その回動規制片２７の自由端に設けた爪状のストッパー片２７ａが後述するボックス２８の底面に当たって蓋板２４の開姿勢を一定の角度に止める。さらにまた、蓋板２４の上端には割溝２９が切り込まれており、蓋板２４を閉じたときその割溝２９に電源ケーブルや外部出力ハーネスなどの配線２０を通すようになっている。
【００１５】
前記配線接続用の端子板２５は、複数の端子２５ａを有する配線基盤であって前記蓋板２４の内側面に固着されている。上記のように蓋板２４は配線挿通口２２に対して上開き可能な状態に軸着されているから、蓋板２４が閉じた状態では端子板２５が外枠２の内部に向かい、蓋板２４が開いた状態では端子板２５が遊技機設置島１８の天部に対向する状態（仰向けの状態）で外部に露出する。
【００１６】
一方、配線挿通口２２の内側、すなわち背板２ｄの内側にはボックス２８が取着されている。このボックス２８にはスロットマシン１内部の配線や電源ケーブルなどの配線２０のうち外部接続のための部分が纏めて収納できる。ボックス２８の構成壁には配線２０のプラグ２３やコネクター３０が通り得る通孔２８ａが設けられていて、その通孔２８ａからボックス２８内に配線２０を通す。一方、通孔２８ａには、配線２０は通してもプラグ２３やコネクター３０は通さない形状のホルダー孔２８ｂが幅狭口２８ｃを介して連設されており、通孔２８ａにある配線２０を幅狭口２８ｃに押し付けてホルダー孔２８ｂに無理矢理嵌め入れれば、配線２０がボックス２８から抜け落ちるおそれはない。なお、ボックス２８の材質は特に限定を要しないが、例えば金属など剛性の高い材料で形成した場合には、配線挿通口２２を狙った不正目的の異物の挿入に対し、スロットマシン１内部への侵入を阻止する防犯効果が期待できる。
【００１７】
一方、遊技機設置島１８の配線接続部２１は図２に示したようにスロットマシン１の天板２ａに近いレベルかそれ以上の高さの場所に設けられており、大人の作業者が上部幕板１９越しに手が届く作業可能な範囲にあればよい。もっとも配線接続部２１は、それ自体が低所にあっても延長線等を使って前記したレベルに接続口が設けてあればそれでもよい。この場合は、接続口が実質的な配線接続部２１である。
【００１８】
次に上記のスロットマシン１を遊技機設置島１８に設置する方法について説明する。先ず、スロットマシン１の内部の配線２０であって遊技機設置島１８に接続するものをボックス２８内に入れ、蓋板２４を閉じ施錠装置２６で施錠しておく。これにより端子板２５に対する輸送段階での不正工作が防止できる。この状態ではスロットマシン１の外部に配線２０が出ていないため、配線２０の絡みや断線を気にすることなくスロットマシン１を遊技機設置島１８に能率良く設置することができる。そして、スロットマシン１を所定の位置に固定した後、作業者がスロットマシン１の正面に立ち上部幕板１９越しに遊技機設置島１８の中に手を入れ、専用の鍵を使って外枠２の蓋板２４を開き、ボックス２８内にあるプラグ２３やコネクター３０を引き出す。このとき必要なら作業者は適当な踏み台を使ってもよい。
【００１９】
次に配線２０たる電源ケーブルの先にあるプラグ２３を遊技機設置島１８の配線接続部２１に接続し、一方、信号線たる配線２０の先にあるコネクター３０を端子板２５の端子２５ａに接続する。そして、遊技機設置島１８の配線接続部２１に繋がっている外部配線２００のコネクター３００を端子板２５の端子２５ａに接続した後、蓋板２４を閉じて施錠する。なお、この段階での蓋板２４の施錠により、設置後における端子板２５への不正工作も阻止することができる。
【００２０】
以上本発明を実施の形態について説明したが、もちろん本発明は上記実施形態に限定されるものではない。例えば、実施形態ではスロットマシン１を例示して説明したが、箱状の外枠２を有するそれ以外の遊技機にも適用可能である。
また、実施形態では配線挿通口２２を背板２ｄに設けた例について説明したが、もちろんその説明は天板２ａ又は天板２ａと背板２ｄの境界部に配線挿通口２２を設けた場合にも当て嵌まる。
また、実施形態の蓋板２４は、下端側を軸着して上端側を開閉する上開きの構造にしたが、逆に上端側に回動軸を設けて下端側を開閉する下開きの構造にすることもできる。この場合、蓋板２４を１８０度乃至２７０度回動させれば上部幕板１９越しにでも上から端子２５ａを確認することができる。特に蓋板２４を２７０度回転させれば、蓋板２４が天板２ａ上で仰向けになって天板２ａで支えられるから接続する際の安定度が高く、また、端子板２５の端子２５ａが非常に見やすくなる利点がある。
また、実施形態では端子板２５と蓋板２４を別体に形成したが、蓋板２４と端子板２５が一体、つまり端子板２５自体が蓋板を兼ねるようにしてもよい。
また、実施形態では配線挿通口２２を一つにしたが、例えば、電源ケーブルと外部出力ハーネスなどを別々の配線挿通口２２から引き出すようにしてもよい。また、実施形態では上部幕板１９を固定的なものにしたが、それを開閉自在にしたり或いは着脱自在にすることによりさらなる作業性の向上が可能である。
【００２１】
なお、請求項１では本発明を「遊技機」として把握しているが、例えば、「請求項１に記載した遊技機を組み込み、且つ、遊技機から引き出した配線を接続する配線接続部を遊技機の天板に近いレベルか又はそれ以上の高所に設けるようにした遊技機設置島」と把握することも可能である。
【００２２】
【発明の効果】
本発明の遊技機は、遊技機を遊技機設置島に設置した後、上部幕板越しに必要な配線の接続が行えるため、遊技機の設置作業と配線作業を別々にして作業能率の向上を図ることが可能であり、また、遊技機を遊技機設置島に設置した後に配線変更が生じた場合でも遊技機設置島から遊技機を一々引き出さなければならない煩わしさがない。特に、端子板に遊技機内部の配線を集約させておけば、配線変更などへの対応を極めて容易にすることができる。また、遊技機設置島と遊技機の間に配線が噛み込むおそれが一切無いため、遊技機を遊技機設置島に組み込む作業の作業性が向上し、また、前記噛み込みによる配線の断線事故が起こり得ない、などの効果を発揮する。
【図面の簡単な説明】
【図１】スロットマシンの斜視図である。
【図２】一部拡大図を含むスロットマシンの側面図である。
【図３】一部を断面にして示す要部の斜視図である。
【図４】配線挿通口の他の配置例を示すスロットマシン背面の斜視図である。
【符号の説明】
１    …スロットマシン（遊技機）
２    …外枠
２ａ  …天板
２ｂ  …底板
２ｃ  …側板
２ｄ  …背板
３    …前面カバー
１８  …遊技機設置島
１９  …上部幕板
２０  …配線
２２  …配線挿通口
２４  …蓋板
２５  …端子板
【図１】
2004209022.tif 000003
【図２】
2004209022.tif 000004
【図３】
2004209022.tif 000005
【図４】
2004209022.tif 000006